(57)【要約】【課題】良好な印刷適性と溶剤の回収・再利用を可能とする印刷インキと溶剤の回収手段を用いて、美粧印刷物を得ることが可能であって、かつ、大気中への排出を抑えるために有機溶剤を回収し、更に回収した有機溶剤を希釈溶剤としてインキに添加して再利用できる印刷システムを提供する。【解決手段】有機溶剤性印刷インキ組成物の印刷に伴って蒸発する有機溶剤を回収し、更に後の印刷において、有機溶剤性印刷インキ組成物中に前記の回収した有機溶剤を希釈溶剤として添加混合することにより、回収した有機溶剤を再利用する有機溶剤性印刷インキ組成物の印刷システムであって、前記有機溶剤性印刷インキ組成物中のエステル系溶剤及びアルコール系溶剤の溶剤組成が、質量比率として、１．００≦エステル系溶剤／アルコール系溶剤＜８．９５である有機溶剤性印刷インキ組成物の印刷システム。【選択図】なし【特許請求の範囲】
【請求項１】
有機溶剤性印刷インキ組成物の印刷に伴って蒸発する有機溶剤を回収し、更に後の印刷において、有機溶剤性印刷インキ組成物中に前記の回収した有機溶剤を希釈溶剤として添加混合することにより、回収した有機溶剤を再利用する有機溶剤性印刷インキ組成物の印刷システムであって、
前記有機溶剤性印刷インキ組成物中のエステル系溶剤及びアルコール系溶剤の溶剤組成が、質量比率として、
１．００≦エステル系溶剤／アルコール系溶剤＜８．９５
であることを特徴とする有機溶剤性印刷インキ組成物の印刷システム。
【請求項２】
蒸発した有機溶剤をまず吸着剤に吸着させ、次いで加熱により吸着剤から気化・脱着させた当該有機溶剤を、不活性ガスを用いて処理槽内に送り込み、更に冷却して有機溶剤を凝縮させる装置を用いて、有機溶剤を回収する請求項１に記載の有機溶剤性印刷インキ組成物の印刷システム。
【請求項３】
回収した有機溶剤に新たに有機溶剤を添加混合して、所定の組成に調整した後に有機溶剤性印刷インキ組成物中に希釈溶剤として添加混合する請求項１又は２に記載の有機溶剤性印刷インキ組成物の印刷システム。
【請求項４】
ポリウレタン樹脂及びセルロース系樹脂からなる群より選択される少なくとも１種、エステル系溶剤、並びに、アルコール系溶剤を含有し、前記エステル系溶剤及びアルコール系溶剤の溶剤組成が質量比率として、１．００≦エステル系溶剤／アルコール系溶剤＜８．９５であり、請求項１〜３のいずれかに記載の有機溶剤性印刷インキ組成物の印刷システムで利用することを特徴とする有機溶剤性印刷インキ組成物。
【請求項５】
前記エステル系溶剤が酢酸ｎ−プロピルであり、前記アルコール系溶剤がｎ−プロパノールである請求項４記載の有機溶剤性印刷インキ組成物。
【発明の詳細な説明】
【技術分野】
【０００１】
本発明は有機溶剤性印刷インキ組成物の印刷システム等に関し、より詳しくは、印刷の際に蒸発する有機溶剤を回収し、後の印刷で再利用する有機溶剤性印刷インキ組成物の印刷システム等に関する。
【背景技術】
【０００２】
最近、環境問題への対応は社会的責任として、全産業・全業種をあげて取り組むべきビジネステーマであり、もちろんプラスチックフィルム印刷の分野も同様である。プラスチックフィルムに対する印刷には、印刷適性上の制約から、一般に有機溶剤を多く含むインキが利用され、また、印刷物も、役割を終えた後はほとんどが廃棄される。そのため、インキ、印刷物共に、環境に与える負荷は高い。そこで、インキや印刷物のメーカーでは、有機溶剤及び廃棄物の排出量の削減や簡便な処理方法の開発等により、環境負荷の低減に取り組んでいる。
【０００３】
この様な取り組みの一つに、インキ中に含まれる有機溶剤の中で、より環境負荷の高いものを選択的に削減しようという試みがある。例えば、従来、インキ中に含まれていた、芳香族系やケトン系等の環境負荷の高い有機溶剤について、まず、環境負荷の最も高い芳香族系溶剤、次いでケトン系溶剤の順で含有量を減量するといった段階を踏んで、インキの開発が継続して行われてきた。更に最近では、置き換える有機溶剤の種類や組成比率はもとより、バインダー樹脂、添加剤等のインキ材料全体についても見直しが行われている。そして、その結果として、芳香族系やケトン系溶剤をほとんど又は全く含まない、エステル−アルコール系インキが実用化されている。
【０００４】
一方、印刷会社でも環境問題の対応として、インキ中の有機溶剤を大気中に排出しないという気運が高くなっている。更に、有機溶剤を回収して、インキ成分として再利用できれば、環境問題の他にも、資源の節約につながることになる。そこで、本願出願人は、例えばラミネート用接着剤で、酢酸エステル等の単一系溶剤が利用される場合、溶剤を回収して再利用する方法を積極的に提案してきた。ところが、インキ組成物の場合は、印刷適性や乾燥性等の多くの性能を満足するために、極性や蒸発速度の異なる多種の有機溶剤を、バランスよく配合する必要がある。特に芳香族系やケトン系の有機溶剤が利用されている時は、エステル系やアルコール系等も含めて、３種類や４種類の有機溶剤が併用されていることが多い。それに対して、回収される溶剤の組成は、インキ中の組成と同一となることはほとんどないため、そのままインキ中に添加すると、前記の溶剤バランスが崩れて、印刷適性や乾燥性が不良になる等の問題が発生する。
【０００５】
この様に、インキ組成物の溶剤の回収・再利用を行うときは、単一溶剤系が最も簡単で、種類が多くなればなるほど困難となる。そういった観点から、易溶剤回収性印刷インキ組成物として、例えば、エステル系溶剤の単独使用に近くなるように、アルコール系溶剤を１０％以下に抑え、ウレタン樹脂の溶解性の低下を水の添加で防止する技術が開示されている（特許文献１参照）。しかしながら、この技術には多くの問題が発生する要因を含んでいる。
【０００６】
まず、プラスチックフィルム用のインキでは、多くの場合、バインダー樹脂としてポリウレタン系やアクリル系の樹脂が利用される。しかし、この様な樹脂系のインキでアルコール系溶剤の含有比率が少なくなると、保存安定性が低下するという問題がある。更に、アルコール系溶剤の含有量が少なくなると、印刷適性が低下し、良好な印刷物が得られないという問題が発生する。
【０００７】
印刷物にとって、良好な印刷品質が求められることは改めていう必要はないが、とりわけ食品包装における印刷品質は重要であり、外装の印刷の良し悪しによって、売上自体が左右される。その最も顕著な例が、最近、見かける機会が多くなっている高品質ブランドのプレミアム食品の外装であり、一般の商品とは一線を画す、高級感に溢れる印刷物が用いられている。これは、消費者が印刷物のイメージをそのまま食品の品質として捉えている証であり、外装でどれだけ高級な雰囲気を抱かせることができるかが、消費者の購買意欲に直結する。もちろん、一般の商品についても、程度の差はあるにせよ同様で、この分野における印刷品質の低下は極めて深刻な問題となる。
【０００８】
以上の様に、インキの印刷時に蒸発により排出される有機溶剤を回収することにより、環境負荷の低減を図ることは社会的な責任であり、また、回収した有機溶剤を再利用することは、更に省資源化として社会的な意義を高めるものである。しかし、その一方で、印刷品質の低下は商品価値を大きく損なうものであるから、良好な印刷適性を維持しなければならない。
【特許文献１】特開平０７−２４７４５６号公報
【発明の開示】
【発明が解決しようとする課題】
【０００９】
そこで、本発明が解決しようとする課題は、良好な印刷適性と溶剤の回収・再利用を可能とする印刷インキと溶剤の回収手段を用いて、美粧印刷物を得ることが可能であって、かつ、大気中への排出を抑えるために有機溶剤を回収し、更に回収した有機溶剤を希釈溶剤としてインキに添加して再利用できる印刷システムを提供することである。
【課題を解決するための手段】
【００１０】
本願出願人は、エステル−アルコール系インキの印刷適性と、回収される有機溶剤の再利用の可否について検討した結果、エステル系溶剤とアルコール系溶剤とを特定組成で含む印刷インキを利用することにより、上記の課題を解決できることを見出し、本発明を完成させたものである。
【００１１】
即ち、すなわち、本発明は、（１）有機溶剤性印刷インキ組成物の印刷に伴って蒸発する有機溶剤を回収し、更に後の印刷において、有機溶剤性印刷インキ組成物中に上記の回収した有機溶剤を希釈溶剤として添加混合することにより、回収した有機溶剤を再利用する有機溶剤性印刷インキ組成物の印刷システムであって、
上記有機溶剤性印刷インキ組成物中のエステル系溶剤及びアルコール系溶剤の溶剤組成が、質量比率として、
１．００≦エステル系溶剤／アルコール系溶剤＜８．９５
であることを特徴とする有機溶剤性印刷インキ組成物の印刷システムに関する。
また、本発明は、（２）蒸発した有機溶剤をまず吸着剤に吸着させ、次いで加熱により吸着剤から気化・脱着させた当該有機溶剤を、不活性ガスを用いて処理槽内に送り込み、更に冷却して有機溶剤を凝縮させる装置を用いて、有機溶剤を回収する上記（１）に記載の有機溶剤性印刷インキ組成物の印刷システムに関する。
また、本発明は、（３）回収した有機溶剤に新たに有機溶剤を添加混合して、所定の組成に調整した後に有機溶剤性印刷インキ組成物中に希釈溶剤として添加混合する上記（１）又は（２）に記載の有機溶剤性印刷インキ組成物の印刷システムに関する。
また、本発明は、（４）ポリウレタン樹脂及びセルロース系樹脂からなる群より選択される少なくとも１種、エステル系溶剤、並びに、アルコール系溶剤を含有し、上記エステル系溶剤及びアルコール系溶剤の溶剤組成が質量比率として、１．００≦エステル系溶剤／アルコール系溶剤＜８．９５であり、上記（１）〜（３）のいずれかに記載の有機溶剤性印刷インキ組成物の印刷システムで利用することを特徴とする有機溶剤性印刷インキ組成物に関する。
また、本発明は、（４）上記エステル系溶剤が酢酸ｎ−プロピルであり、上記アルコール系溶剤がｎ−プロパノールである上記（４）に記載の有機溶剤性印刷インキ組成物に関する。
以下、更に本発明を詳細に説明する。
【００１２】
本発明は、有機溶剤性印刷インキ組成物を印刷する際に蒸発する有機溶剤を、回収装置等を利用して回収し、更に回収した有機溶剤を、希釈溶剤として印刷インキ中に添加混合することにより再利用することを特徴とする有機溶剤性印刷インキ組成物の印刷システムである。
【００１３】
環境問題に対する意識が高まる中、大気中への有機溶剤の排出を抑制するために、印刷の際に蒸発する溶剤を回収する装置の導入が検討されてきた。しかし、従来の印刷インキ組成物は数多くの種類の有機溶剤を含有し、回収した有機溶剤の組成比率がインキ中の組成比率と異なるため、印刷インキ中に添加・混合して再利用するといった印刷システムは実現できていなかった。
本発明は、印刷インキの有機溶剤としてエステル系溶剤とアルコール系溶剤の２種を併用し、更に溶剤回収装置の特性に応じて、必要であれば後から成分調整を行う工程を付加することにより、印刷適性を十分に有する範囲で、回収した有機溶剤を印刷インキ中と同じ組成で添加混合して再利用できる印刷システムである。
これらの技術について、個々にその特徴を説明する。
【００１４】
本発明の印刷システムでは、先ず、有機溶剤性印刷インキ組成物の印刷に伴って蒸発する有機溶剤を回収する工程が行われる。
上記有機溶剤性印刷インキ組成物としては、エステル系溶剤とアルコール系溶剤とを特定組成で含み、更に、顔料、バインダー樹脂、他の有機溶剤等を含むもの等が用いられる。
以下、有機溶剤性印刷インキ組成物中のこれらの成分について具体的に述べる。
【００１５】
１．有機溶剤性印刷インキ組成物
＜顔料＞
顔料としては印刷インキで一般的に用いられている各種無機顔料、有機顔料等が使用できる。無機顔料としては、酸化チタン、ベンガラ、アンチモンレッド、カドミウムイエロー、コバルトブルー、紺青、群青、カーボンブラック、黒鉛等の有色顔料、炭酸カルシウム、カオリン、クレー、硫酸バリウム、水酸化アルミニウム、タルク等の体質顔料を挙げることができる。有機顔料としては、溶性アゾ顔料、不溶性アゾ顔料、アゾレーキ顔料、縮合アゾ顔料、銅フタロシアニン顔料、縮合多環顔料等を挙げることができる。有機溶剤性印刷インキ組成物における、これら顔料の含有量は無機顔料では１〜６０質量％、有機顔料では０．５〜３０質量％が好適である。
【００１６】
＜バインダー樹脂＞
バインダー樹脂としては印刷インキで一般的に用いられているものを特に限定されることなく使用することができ、例えば、ポリウレタン樹脂、セルロース系樹脂等を挙げることができる。
【００１７】
（ポリウレタン樹脂）
ポリウレタン樹脂としては、有機ジイソシアネート化合物と高分子ジオール化合物との反応によりウレタンプレポリマーを合成し、これに必要に応じて鎖伸長剤、反応停止剤を反応させて得られるポリウレタン樹脂が好適に使用できる。
【００１８】
まず、有機ジイソシアネート化合物としては、トリレンジイソシアネート等の芳香族ジイソシアネート化合物、１，４−シクロヘキサンジイソシアネート、イソホロンジイソシアネート等の脂環族ジイソシアネート化合物、ヘキサメチレンジイソシアネート等の脂肪族ジイソシアネート化合物、及び、α，α，α′，α′−テトラメチルキシリレンジイソシアネート等の芳香脂肪族ジイソシアネート化合物が、単独又は２種以上混合して使用できる。中でも脂環族ジイソシアネート、脂肪族ジイソシアネート及び芳香脂肪族ジイソシアネートがより好ましい。
【００１９】
高分子ジオール化合物としては、ポリエチレングリコール、ポリプロピレングリコール等のポリアルキレングリコール類、ビスフェノールＡのエチレンオキサイド、プロピレンオキサイド等アルキレンオキサイド付加物等のポリエーテルジオール化合物、アジピン酸、セバシン酸、無水フタール酸等の二塩基酸の１種又は２種以上と、エチレングリコール、プロピレングリコール、１，４−ブタンジオール、ネオペンチルグリコール、３−メチル−１，５−ペンタンジオール等のグリコール類の１種又は２種以上とを縮合反応させて得られるポリエステルジオール類、ポリカプロラクトンジオール類等のポリエステルジオール化合物等の各種高分子ジオール化合物を単独又は２種以上混合して使用できる。これらの高分子ジオール化合物は、数平均分子量が３００〜６，０００のものが好ましい。更に前記高分子ジオール化合物に加えて、１，４−ペンタンジオール、２，５−ヘキサンジオール、３−メチル−１，５−ペンタンジオール等のアルカンジオールや、エチレングリコール、プロピレングリコール、１，４−ブタンジオール、１，３−ブタンジオール等の低分子ジオール化合物を単独又は２種以上混合して併用することができる。
【００２０】
なお、本明細書では、数平均分子量、質量平均分子量はカラムクロマトグラフィー法によって測定することができる。一例としては、Ｗａｔｅｒ  ２６９０（ウォーターズ社製）で、ＰＬｇｅｌ  ５μ  ＭＩＸＥＤ−Ｄ（Ｐｏｌｙｍｅｒ  Ｌａｂｏｒａｔｏｒｉｅｓ社製）を使用して行い、ポリスチレン換算の数平均分子量、質量平均分子量として求めることができる。
【００２１】
高分子ジオール化合物の特徴として、まず、本発明の特徴であるエステル系溶剤とアルコール系溶剤との混合溶剤系では、ポリエーテルジオール化合物を利用する方が、得られるポリウレタン樹脂の溶解性が高くなる傾向があり、必要性能に合わせて幅広くインキの設計が可能となる点で好ましい。また、高分子ジオール化合物の数平均分子量が３０００以上になると、柔軟なポリウレタン樹脂となる傾向がある。耐ブロッキング性等が低い等の問題が懸念されるときは、インキの他の材料とのバランスはあるが、他の硬質の樹脂と併用することが好ましい場合がある。
【００２２】
前記有機ジイソシアネート化合物と高分子ジオール化合物の使用比率は、イソシアネート基：水酸基の当量比（イソシアネートインデックス）が、通常、１．２：１〜３．０：１、より好ましくは１．３：１〜２．０：１となる範囲である。上記のイソシアネートインデックスが１．２より小さくなると、柔軟なポリウレタン樹脂となる傾向がある。
【００２３】
鎖伸長剤としては、インキ用バインダーとしてのポリウレタン樹脂で利用される既知の鎖伸長剤が利用可能であり、エチレンジアミン、プロピレンジアミン、テトラメチレンジアミン、ヘキサメチレンジアミン等の脂肪族ジアミン類、イソホロンジアミン、４，４′−ジシクロヘキシルメタンジアミン等の脂環式ジアミン類、トルイレンジアミン等の芳香族ジアミン類、キシレンジアミン等の芳香脂肪族ジアミン類、Ｎ−（２−ヒドロキシエチル）エチレンジアミン、Ｎ−（２−ヒドロキシエチル）プロピレンジアミン、Ｎ，Ｎ′−ジ（２−ヒドロキシエチル）エチレンジアミン等の水酸基を有するジアミン類、エチレングリコール、プロピレングリコール、１，４−ブタンジオール、ネオペンチルグリコール、ジエチレングリコール、トリエチレングリコール等のジオール化合物が例示できる。
更に、ポリウレタン樹脂がゲル化しない範囲で、ジエチレントリアミン、トリエチレンテトラミン等のポリアミン類を併用することができる。
【００２４】
反応停止剤としては、インキ用バインダーとしてのポリウレタン樹脂で利用される既知の反応停止剤が利用可能であり、ｎ−プロピルアミン、ｎ−ブチルアミン等のモノアルキルアミン類、ジ−ｎ−ブチルアミン等のジアルキルアミン類、モノエタノールアミン、ジエタノールアミン等のアルカノールアミン類、エタノール等のモノアルコール類等を例示することができる。
【００２５】
本発明では、上記材料を用いて、公知のポリウレタン樹脂の製造方法がそのまま使用できる。ポリウレタン樹脂としては、質量平均分子量が５０００〜２０万のものが好ましい。質量平均分子量が上記範囲未満では、皮膜凝集力が低下し、耐摩性、耐熱水性等の耐性に問題が生じる傾向があり、一方上記範囲を超えると、溶解性が低下し、印刷適性に問題が生じる傾向がある。
なお、それぞれの成分の分子量や化学構造、また当量比が異なると、得られるポリウレタン樹脂の硬さも異なることから、これら成分を適宜組み合わせによって、接着性や印刷物の耐ブロッキング性を調節することが可能である。
【００２６】
（セルロース系樹脂）
セルロース系樹脂としては、ニトロセルロース（ニトロ基置換体）、セルロースアセテート、セルロースアセテートプロピオネート、セルロースアセテートブチレート等の低級アシル基置換体、メチルセルロース、エチルセルロース等の低級アルキル基置換体を挙げることができる。
【００２７】
これらセルロース誘導体の分子量や水酸基に対する置換度等は、通常のインキ組成物や塗料で使用される範囲のものが、本発明でも支障なく利用でき、水酸基の置換度は、概ね、１．３〜２．７程度のものが好ましい。また、耐熱性の面からはニトロ基置換体の使用が有利であり、接着性の面からは低級アシル基置換体及び低級アルキル基置換体が有利であるため、目的に応じて適宜選択して使用する事が好ましい。
【００２８】
（その他の樹脂）
更にアクリル樹脂、ポリアミド樹脂や粘着性樹脂等を補助的に添加することができる。
特にアクリル系樹脂としては、質量平均分子量３０，０００〜１００，０００、水酸基価２０〜１１０、ガラス転移温度（以下、Ｔｇという）が−３５〜１００℃の範囲にあるアクリル系樹脂が好適に使用される。Ｔｇが４０℃以下であると、柔軟なアクリル樹脂となり、一方、Ｔｇが６０℃以上になると硬質のアクリル樹脂となる傾向があり、インキの接着性や耐ブロッキング性等の必要性能に応じて、使い分けることが好ましい。
【００２９】
上記アクリル系樹脂のガラス転移温度（Ｔｇ）を求める方法はいろいろあるが、簡易的には次式のｗｏｏｄの近似式によって求めることができる。
１／Ｔｇ＝（Ｗ１／Ｔ１）＋（Ｗ２／Ｔ２）＋（Ｗ３／Ｔ３）＋・・・・・・
（式中、Ｔｇはアクリル系樹脂のガラス転移温度（絶対温度）を示し、Ｗ１、Ｗ２、Ｗ３・・・・はアクリル系樹脂中における単量体の重量分率を示し、Ｔ１、Ｔ２、Ｔ３・・・・はその単量体からなる単一重合体のガラス転移温度（絶対温度）を示す）
【００３０】
また、ポリアミド樹脂としては、重合脂肪酸を主とした酸成分と、脂肪族、脂環族、芳香族のアミン成分とを反応させて得られる、下記のエステル系溶剤とアルコール系溶剤の使用比率で溶解可能なポリアミド樹脂が好適に使用される。
その他の粘着性樹脂としては、ダイマー酸系樹脂、コーパル樹脂、ダンマー樹脂等が利用できる。
【００３１】
＜有機溶剤＞
上記有機溶剤性印刷インキ組成物は、有機溶剤成分として、エステル系溶剤とアルコール系溶剤とを含有するものである。本発明では、特定組成のエステル系溶剤とアルコール系溶剤とを併用した印刷インキを用いて印刷した場合、蒸発により排出されるインキ中の有機溶剤を回収し、インキの希釈溶剤として良好に再利用できる。また、特定組成のエステル系溶剤とアルコール系溶剤とを併用しているため、良好な印刷適性を維持することも可能である。
【００３２】
ここで、エステル系溶剤としては、酢酸エチル、酢酸プロピル（酢酸ｉ−プロピル、酢酸ｎ−プロピル）、酢酸ブチル（酢酸ｉ−ブチル、酢酸ｎ−ブチル）、酢酸メチル、プロピオン酸メチル、プロピオン酸エチル、乳酸エチル等を挙げることができる。なかでも、酢酸エチル、酢酸プロピルが好ましく、酢酸ｎ−プロピルが特に好ましい。これにより本発明の目的を良好に達成できる。これらは、単独又は２種以上混合して使用できる。
【００３３】
アルコール系溶剤の具体例としては、メチルアルコール、エチルアルコール、ｎ−プロピルアルコール、イソプロピルアルコール、ブチルアルコール、ｓ−ブチルアルコール、ｔ−ブチルアルコール、ヘキサノール、ヘプタノール、オクタノール、ノナノール、デカノール、ウンデカノール等の脂肪族アルコール；エチレングリコール、ジエチレングリコール、トリエチレングリコール、ポリエチレングリコール等のグリコール類；エチレングリコールモノメチルエーテル、エチレングリコールモノイソプロピルエーテル、エチレングリコールモノブチルエーテル、プロピレングリコールモノメチルエーテル、プロピレングリコールモノエチルエーテル、プロピレングリコールプロピルエーテル、プロピレングリコールイソプロピルエーテル、プロピレングリコールモノブチルエーテル等のグリコールエーテル類；グリセリン等の多価アルコール等が挙げられる。なかでも、脂肪族アルコールが好ましく、更にｎ−プロピルアルコール、イソプロピルアルコールが好ましく、ｎ−プロピルアルコールが特に好ましい。これにより本発明の目的を良好に達成できる。これらは、単独又は２種以上混合して使用できる。
【００３４】
また、エステル系溶剤とアルコール系溶剤の比率は、質量比で、
１．００≦エステル系溶剤／アルコール系溶剤＜８．９５
となる量である。アルコール系溶剤の使用比率が上記範囲より高くなると、インキ中でのバインダー樹脂の溶解性の不良に伴う保存安定性の低下や、アルコールの回収性の低い回収装置を利用した時の大気中に排出される有機溶剤量が増加するといった問題が生じ、一方、上記範囲より低くなると、印刷適性が低下する等の問題が生じる。なお、エステル系溶剤とアルコール系溶剤のより好ましい比率の範囲は、質量比で、
２．００≦エステル系溶剤／アルコール系溶剤≦５．６７
となる量である。
【００３５】
上記有機溶剤性印刷インキ組成物は、上記エステル系溶剤が酢酸ｎ−プロピルであり、上記アルコール系溶剤がｎ−プロパノールであるものが特に好ましい。この場合、インキの保存安定性、印刷適性に優れ、溶剤を回収した後の再利用も良好に行うことが可能である。
【００３６】
＜添加剤＞
上記有機溶剤性印刷インキ組成物は、更に粘着付与剤、架橋剤、滑剤、耐ブロッキング剤、帯電防止剤、界面活性剤等の各種添加剤を添加することができる。
【００３７】
以上の材料から有機溶剤性印刷インキ組成物を設計する場合、通常、有機溶剤性印刷インキ組成物が印刷される用途に必要な性能を満足することを目的として、適宜組み合わせられるが、代表的な用途である表刷り印刷と裏刷り印刷での組み合わせを以下に例示する。
【００３８】
（表刷り印刷インキ組成物）
プラスチックフィルムにインキを印刷し、包装袋を製造する際に印刷面が袋の表の面になるような分野の印刷物（表刷り印刷物）においては、光沢、耐ブロッキング性、耐熱性等が要求される。そこで、表刷り印刷インキのバインダー樹脂としては、硬度があり光沢の付与等が可能なセルロース樹脂に、接着性等の付与が可能な軟質のポリウレタン樹脂や軟質のアクリル樹脂を組み合わせて利用することが好ましい。この場合、併用比率は、セルロース系樹脂：（ポリウレタン樹脂又はアクリル樹脂）が５：９５〜９５：５の質量比率となる量である。そして、得られるインキ組成物の耐熱性の面から、セルロース系樹脂としてニトロセルロースが、プラスチックフィルムに対する接着性の面から、セルロースアセテート、セルロースアセテートプロピオネート、セルロースアセテートブチレート等が好適である。更にインキ組成物中における両方の樹脂を合わせた含有量は、１〜３０質量％が適量である。
また、顔料の含有量としては、比重の大きい無機顔料の場合は０．５〜７０質量％、比重の小さい有機顔料の場合は０．１〜４０質量％程度が適量である。更に有機溶剤の含有量としては、２８〜９５質量％程度が適量である。
【００３９】
（裏刷り印刷インキ用組成物）
プラスチックフィルムにインキを印刷し、印刷面を別のプラスチック材料（シーラント）でラミネートし、包装袋を製造する際にラミネート面を貼り合わせるような分野の印刷物（裏刷り印刷物）においては、ラミネート強度（シーラントとの接着性）やボイル・レトルト適性等が要求される。そこで、裏刷り印刷インキのバインダー樹脂としては、接着性等の付与が可能な軟質〜硬質のポリウレタン樹脂を主体として、必要に応じてセルロース系樹脂等を補助的に併用することが好ましい。
有機溶剤性印刷インキ組成物における、これらバインダー樹脂の含有量は１〜３０質量％が好適である。また、顔料の含有量としては、比重の大きい無機顔料の場合は０．５〜７０質量％、比重の小さい有機顔料の場合は０．１〜４０質量％程度が適量である。更に有機溶剤の含有量としては、２８〜９５質量％程度が適量である。
【００４０】
２．印刷方法及び基材
次に、上記有機溶剤性印刷インキ組成物を印刷する方法、印刷する基材について述べる。
上記のインキ組成物を印刷する方法としては、一般的な印刷方法を特に限定されることなく適用でき、例えば、グラビア或いはフレキソ印刷方式が利用できる。また、印刷用基材としては、特に限定されず、ポリエチレン、ポリプロピレン等のポリオレフィンフィルム、ポリエチレンテレフタレート、ポリ乳酸、ポリカプロラクトン等のポリエステルフィルム、ナイロン、ビニロンといった各種印刷用プラスチックフィルムを対象とするものである。もちろん、本発明の主旨からして、通常のフィルムであっても、熱収縮フィルムであってもよく、印刷後にラミネートや収縮処理等の後加工を行うこともできる。
【００４１】
３．溶剤回収方法
次に、印刷に伴って蒸発する有機溶剤の回収方法について述べる。
印刷の際にインキから蒸発する溶剤蒸気は、雰囲気の空気と一緒に吸気ダクト等で吸引して、溶剤の回収装置に送り、回収装置で再び溶剤を液化させて回収する。
ここで蒸発した有機溶剤を回収する方法としては、冷却法、圧縮法、吸着・脱着法のいずれでもよいが、簡便な冷却法と回収率の高い吸着・脱着法の利用が好適である。
【００４２】
冷却法は、蒸発した有機溶剤（溶剤蒸気）を含む空気を、直接、冷却媒体で冷却した管中を通過させる方法、又は処理槽に導入して冷却する方法等により溶剤蒸気を凝縮させ、液化した溶剤を回収する方法であり、管壁や処理槽内を５℃程度まで冷却して溶剤を回収することが好ましい。
また、圧縮法は、処理槽内で溶剤の蒸気圧以上に加圧して溶剤蒸気を凝縮させ、液化した溶剤を回収する方法である。
【００４３】
また、吸着・脱着法は溶剤蒸気を、一旦、吸着剤に吸着させて予備濃縮を行ってから、不活性ガスを用いて高温で離脱させ、冷却により凝縮させ液化した溶剤を回収する方法である。この方法で溶剤蒸気を吸着させる材料は、比表面積が大きくなるように、粒子状、繊維状或いはハニカム状にした活性炭等が用いられる。そして、一定の期間、溶剤蒸気を吸着させ、その後、窒素等の不活性ガスを送風しながら、ヒーターで直接吸着剤を加熱するか、又は加熱した窒素等の不活性ガスを送風して、吸着した有機溶剤を再び気化させて処理槽内に導入し、比較的高濃度の溶剤蒸気を含む不活性ガスを、前記の冷却法と同じ処理をして溶剤を回収する。この様な吸着・脱着法を利用した溶剤回収装置としては、例えば、特開平０５−３１３２２号、特開平０７−６８１２７号等で開示されている溶剤回収装置が利用できる。
【００４４】
冷却法や圧縮法では空気中に含まれる溶剤蒸気濃度が低い場合、大容量の処理槽と、冷却や圧縮のための多大なエネルギーが必要となり、非効率的になるという欠点がある。それに対して、吸着・脱着法は溶剤蒸気の予備濃縮を行ってから、回収の処理をするために効率の面では好適である。しかし、既存の吸着剤については、アルコールを吸着する能力は十分とは言えず、回収溶剤をインキ中に添加して再利用する際には、後記するように、アルコールを添加して組成を調整することが好ましい。
【００４５】
なお、これらの方法では、溶剤蒸気を吸引する際、同時に吸引される空気中に水蒸気が含まれ、冷却により凝縮して水となる。そこで、回収した溶剤中に水分が含まれるのが好ましくない場合は、予め、水蒸気を吸着するシリカゲル、塩化リチウム、塩化カルシウム等の乾燥剤を通して、水分を除くことが好ましい。
【００４６】
本発明の印刷システムでは、上記有機溶剤を回収する工程の後、更に後の印刷において、有機溶剤性印刷インキ組成物中に上記の回収した有機溶剤を希釈溶剤として添加混合することにより、回収した有機溶剤を再利用する工程が行われる。
以下、この回収溶剤の再利用について述べる。
【００４７】
４．回収した有機溶剤の再利用方法
本発明において、回収した有機溶剤は希釈溶剤としてインキ中に添加して再利用するものである。上記の冷却法や圧縮法で回収する方法では、沸点や蒸発速度の近似するアルコールとエステルの溶剤をインキ溶剤として利用すると、回収された溶剤はインキ中と類似する組成のものが得られる。したがって、この様な場合はそのまま希釈溶剤等で利用が可能である。それに対して、吸着・脱着法の吸着剤の能力に依存してアルコールの回収が十分にできない場合は、極力、蒸発速度の遅いアルコール系溶剤を利用してアルコールの蒸発自体を抑える方法、アルコールをより多く含む濃縮インキ組成物を調製しておき、エステル成分をより多く含む回収溶剤でそのまま希釈する方法等による対処も可能であるが、より確実な方法として、回収した溶剤にアルコール系溶剤を足して、インキ中と同一の組成となるように調整してから希釈する方法が好ましい。
【００４８】
ちなみに、エステル系溶剤及びアルコール系溶剤の吸着率が常に一定である吸着剤を利用すると、回収した溶剤のエステル系溶剤／アルコール系溶剤の比率も一定に近くなるため、組成を調整することが容易となる。例えば、エステル系溶剤の吸着率９０％、アルコールの吸着率４０％の能力を有する吸着剤を用いて、印刷時のインキの溶剤組成が、質量比率としてエステル系溶剤／アルコール系溶剤＝４であるインキ組成物を印刷した場合、理論的には回収した溶剤は質量比率としてエステル系溶剤／アルコール系溶剤＝４×０．９／１×０．４＝９に近い混合溶剤となる。この混合溶剤を希釈溶剤として利用するために、印刷時のインキ中の溶剤組成（質量比でエステル系溶剤／アルコール系溶剤＝４）の組成比率に調整するには、混合溶剤１００質量部に対してアルコール系溶剤をほぼ１２．５質量部加えればよいことになる。
この様に回収した有機溶剤を、印刷時にインキ中に希釈剤として添加して再利用することにより、大気中への排出が抑えられ、環境負荷の軽減と省資源の両方が可能となる。
【発明の効果】
【００４９】
本発明の印刷システムでは、アルコール系溶剤とエステル系溶剤を利用して、良好な印刷適性を有する印刷インキとしたことにより、美粧印刷物が得られ、溶剤の回収、再利用を可能とすることにより、大気中への有機溶剤の排出を抑え、更に省資源にも役立つという、極めて社会的に意義の高い印刷システムである。
【発明を実施するための最良の形態】
【００５０】
以下に実施例をあげて本発明を更に詳細に説明するが、本発明はこれらの実施例のみに限定されるものではない。なお、特に断りのない限り、「％」は「質量％」を意味し、「部」は「質量部」を意味する。
【００５１】
〔実施例及び比較例〕
（有機溶剤性印刷用インキ組成物の製造）
ポリウレタン樹脂ワニス製造例１
攪拌機、冷却管及び窒素ガス導入管を備えた四つ口フラスコに平均分子量２０００の３−メチル−１，５−ペンチレンアジペートジオール１００質量部、平均分子量２０００のポリプロピレングリコール１００質量部、及びイソホロンジイソシアネート４４．４質量部を仕込み、窒素ガスを導入しながら１００〜１０５度で６時間反応させた。室温近くまで放冷し、酢酸エチル５１８質量部、イソプロピルアルコール９１質量部を加えた後、イソホロンジアミン１５．６質量部を加えて鎖伸長させ、更にモノエタノールアミン１．１質量部を加えて反応停止させ、重量平均分子量３０，０００のポリウレタン樹脂ワニスＡ（固形分３０質量％）を得た。
【００５２】
ポリウレタン樹脂ワニス製造例２
攪拌機、冷却管及び窒素ガス導入管を備えた四つ口フラスコに平均分子量２０００の３−メチル−１，５−ペンチレンアジペートジオール１００質量部、平均分子量２０００のポリプロピレングリコール１００質量部、及びイソホロンジイソシアネート４４．４質量部を仕込み、窒素ガスを導入しながら１００〜１０５度で６時間反応させた。室温近くまで放冷し、酢酸ｎ−プロピル５１８質量部、ｎ−プロピルアルコール９１質量部を加えた後、イソホイソホロンジアミン１５．６質量部を加えて鎖伸長させ、更にモノエタノールアミン１．１質量部を加えて反応停止させ、重量平均分子量３０，０００のポリウレタン樹脂ワニスＢ（固形分３０質量％）を得た。
【００５３】
ニトロセルロースワニス製造例
ニトロセルロース（１／４Ｈ、旭化成（株）製）３０質量部を、酢酸ｎ−プロピル７０質量部に混合溶解させて、ニトロセルロースワニス（固形分３０質量％）を得た。
【００５４】
有機溶剤性印刷用インキ組成物製造例
顔料３０重量部とポリウレタン樹脂ワニスＡ３０質量部の混合物を、ペイントコンデショナーを用いて混練し、更に表１の配合にしたがって残余の溶剤を添加混合し、実施インキ１〜５、比較インキ１〜４を調製した。また、顔料３０重量部とポリウレタン樹脂ワニスＢ３０質量部の混合物を、ペイントコンデショナーを用いて混練し、更に表１の配合にしたがって残余の溶剤を添加混合し、実施インキ６を調製した。また、顔料３０重量部とポリウレタン樹脂ワニスＢ１２質量部、ニトロセルロースワニス１８質量部の混合物を、ペイントコンデショナーを用いて混練し、更に表１の配合にしたがって残余の溶剤を添加混合し、実施インキ７、比較インキ５、６を調製した。なお、顔料としては酸化チタン（商品名：タイピュアＲ−９６０、デュポン（株）製）を用いた。
【００５５】
（インキの保存安定性試験）
＜評価方法＞
実施インキ１〜７、比較インキ１〜６の各々をガラス瓶に採取し、４０℃の雰囲気温度で１４日間保存した時の顔料の沈降の有無から、インキの保存安定性を評価し、その結果を表１に示した。
＜評価基準＞
Ａ：沈降が見られず、インキの保存安定性は良好である。
Ｂ：沈降が見られ、インキの保存安定性は不良である。
【００５６】
（印刷適性試験１）
＜評価方法＞
実施インキ１〜７、比較インキ１〜６の各々１００質量部に対して、同一溶剤組成からなる希釈溶剤を５０質量部添加して希釈した。そして、全ベタの版深度５μｍの印刷版を備えたグラビア校正機（（株）東谷製作所製）にて、片面にコロナ放電処理を施した二軸延伸ポリプロピレンフィルム（商品名：パイレン  Ｐ−２１６０、厚さ２５μｍ、東洋紡績（株）製、以後、ＯＰＰフィルムと記載）の処理面に、印刷速度１００ｍ／分で３０分間印刷を行った。印刷終了時の印刷部分における、版にインキが詰まったことに起因するカスレの面積の割合から印刷適性を評価し、その結果を表１に示した。
＜評価基準＞
Ａ：カスレの面積が０％（カスレが全くみられない）である。
Ｂ：カスレの面積が１０％未満である（ただし、Ａの条件を除く）。
Ｃ：カスレの面積が１０％以上、３０％未満である。
Ｄ：カスレの面積が３０％以上、５０％未満である。
Ｅ：カスレの面積が５０％以上である。
【００５７】
（印刷時の有機溶剤の回収試験）
回収試験１
印刷適性試験と同じグラビア校正機及びＯＰＰフィルムを用いて以下の試験を行った。
インキの保存安定性及び印刷適性が良好であった実施インキ１〜７の各々の１００質量部に対して、同一溶剤組成からなる希釈溶剤を５０質量部添加して希釈し、全ベタの版深度３０μｍの印刷版を備えたグラビア校正機にてＯＰＰフィルムの処理面に、印刷速度１００ｍ／分で３０分間印刷した。この印刷においては乾燥装置の空気噴出し口における空気の温度を１２０℃に設定し、乾燥ボックス及び巻き取り部までをほぼフィルムで覆った。更に印刷の間に、フィルムで覆った中の有機溶剤蒸気を含む空気を吸引しながら、まず、シリカゲルの充填した管、続いて５℃の冷却水で管壁を冷却した管に導入することにより、有機溶剤を凝縮させて回収した。この操作によって回収した有機溶剤の回収率は１４〜１９質量％であり、エステル系溶剤とアルコール系溶剤の比率から、そのまま、もとのインキの希釈剤として利用することとした。
【００５８】
回収試験２
印刷適性試験と同じグラビア校正機及びＯＰＰフィルムを用いて以下の試験を行った。
まず、実施インキ１〜７の各々の１００質量部に対して、同一溶剤組成からなる希釈溶剤を５０質量部添加して希釈し、全ベタの版深度３０μｍの印刷版を備えたグラビア校正機にてＯＰＰフィルムの処理面に、印刷速度１００ｍ／分で３０分間印刷した。この印刷においては乾燥装置の空気噴出し口における空気の温度を１２０℃に設定し、乾燥ボックス及び巻き取り部までをほぼフィルムで覆った。更に印刷の間に、フィルムで覆った中の有機溶剤蒸気を含む空気を吸引しながら、活性炭（クレハ球状活性炭  クレハ社製）を充填した管に導入して溶剤蒸気を吸着させた。
上記の操作により溶剤蒸気を吸着させた活性炭を充填した管に、１２０℃に加熱した窒素ガスを流入して、溶剤を活性炭から脱着させ、更に、溶剤蒸気を含む窒素ガスを５℃に冷却した冷却槽内で冷却することにより、有機溶剤を凝縮させて回収した。この操作によって回収した有機溶剤の回収率は２２〜２７質量％であり、回収した有機溶剤のエステル系溶剤の含有比率が高くなっているため、もとのインキと同一の溶剤組成となるまでアルコールを添加して希釈剤とすることが好ましいと判断した。
【００５９】
なお、回収試験１及び２において、有機溶剤の回収率は以下の式から計算し、また、エステル系溶剤／アルコール系溶剤の質量比は以下の条件でガスクロマトグラフィー分析により求めた。
回収率（質量％）＝
回収した有機溶剤の質量〔ｇ〕×１００／（印刷によって消費したインキの質量〔ｇ〕×インキ中に含まれる有機溶剤の質量比率）
ガスクロマトグラフィー分析
機種：  ＨＰ―６８９０    （ヒューレットパッカード社製）
カラム：  ＤＢ−１  （Ｊ＆Ｗ社製）
検出器：  ＦＩＤ
温度：  カラム５０−１１０℃、気化室  １２０℃、検出器  ２３０℃
流量：  ヘリウム  ３ｍｌ／ｍｉｎ、水素  ３０ｍｌ／ｍｉｎ、空気  ４００ｍｌ／ｍｉｎ
【００６０】
（印刷適性試験２）
上記の実施インキ１〜７の各々について、回収試験１で回収した有機溶剤をそのまま希釈剤として利用し、インキ１００質量部に対して希釈剤５０質量部添加して、印刷適性試験１と同じ印刷条件で印刷適性試験を行った結果、印刷適性試験１と全く同じ印刷適性であった。この結果から、回収した有機溶剤はそのまま希釈溶剤として利用できると判断した。
【００６１】
（印刷適性試験３）
上記の実施インキ１〜７の各々について、印刷時の有機溶剤の回収試験２で回収した有機溶剤に、アルコールを添加してそれぞれのインキと同一の溶剤組成として希釈剤を調製し、インキ１００質量部に対して希釈剤５０質量部添加して、印刷適性試験１と同じ印刷条件で印刷適性試験を行った結果、印刷適性試験１と全く同じ印刷適性であった。
この結果から、吸着剤を利用して回収した有機溶剤は、直接、冷却した管で有機溶剤を回収するより高い回収率であり、インキと同一組成となるように調製することにより希釈溶剤として利用できると判断した。
【００６２】
今回の試験は簡易的に効果を確認するための試験であることから、特に、有機溶剤の回収率は１００％に到底及ばない結果となっている。しかしながら、実施例と比較例の試験結果は、本発明の有機溶剤性印刷インキ組成物の印刷システムを利用すると、優れた印刷物が得られると共に、大気中への有機溶剤の放出を抑えることができ、更に回収した有機溶剤を希釈剤として再利用が可能になるという、印刷品質、環境、省資源という面で高い効果が得られることを十分に示すものである。
【００６３】
【表１】
2008266370.tif 000002
【産業上の利用可能性】
【００６４】
本発明の印刷システムは、各種印刷方法に適用することができ、印刷インキから回収した有機溶剤を希釈溶剤として再利用が可能である。